(57)【要約】      （修正有）【課題】作業効率が良く、重機との接触事故の可能性が低い。【解決手段】円筒型の土砂投入ホッパーを、開口させた大型土嚢袋内に設置し、バックホウ等の重機を使用しての土砂の投入を行うことで、作業の機械化による短時間での大型土嚢の作成を可能とする。また、この作業中、作業員の補助作業は、土嚢袋の開口作業と土嚢袋取手をホッパーに掛ける作業のみであり、重機の近接作業を行う必要がなくなり、作業の安全性が向上する。【選択図】図１
0003129364.tif 000002
【実用新案登録請求の範囲】
【請求項１】
短時間に大量の均一な大型土嚢を作成可能とするため、開閉式バケット付き移動式クレーン仕様のバックホウを使用の上、大型土嚢袋にホッパーを挿入し、土砂投入と吊り作業が併用できる、吊上げ用装置付き大型土嚢成形ホッパー
【請求項２】
前項１の土砂投入と吊上げを、玉掛け作業なしで、連続的に作業をするための、吊り荷の自動脱着可能な外れ止め付き吊りフック。
【考案の詳細な説明】
【技術分野】
【０００１】  この考案は、自動脱着式吊フック付大型土嚢成形機具に関する。
【背景技術】
【０００２】  大型土嚢は、袋に土砂を充填することにより形成され、連続的な設置による、地盤強化と安定をはかるために使用されている。
最近仮設用、水防用として非常に多く使用されるようになり、短期間で大量の土嚢を作成する場合が多くなっている。今後も利便性が優位であり、色々な工事に使用頻度が増すものと思われる。
一般的な作成方法としては、作業員が土嚢袋を開口するとともに開口状況を維持、バックホウで土砂を投入し、人力作業で土嚢袋の外形の成形という単純な手順になっており、重機による土砂投入以外は、作業員による人力作業となっている。
【考案の開示】
【考案が解決しようとする課題】
【０００３】  大型土嚢の一般的な作成方法は、バックホウで土砂投入をし、土砂充填以外の作業については、人力作業になることが多い。土嚢の吊り荷作業は、作業員による玉掛け作業と移動式クレーン仕様バックホウの併用又は、ホイールクレーンを使用している。袋詰めの作業効率が悪いため、手待時間が多く、時間当たりの土嚢作成数は制限される。このような大型土嚢作成のプロセスは、省力化と機械による自動化、コストダウン等が考慮されていないのが現状である。出来型の品質については、成形上での仕上がりにばらつきがあり、均一な成形が困難であるとともに、袋詰めの出来上りサイズの標準化に問題がある。その結果、不均一な仕上がりとなり、設置景観へ悪影響を及ぼす。また、作業環境面においても、重機作業半径内での、作業員との近接作業が多くなるため、接触及び吊り荷作業時のはさまれ等による労災事故の可能性があり、危険な作業である。
【課題を解決するための手段】
【０００４】  以上の課題を解決するために、開閉式バケット付き移動式クレーン仕様のバックホウを使用し、大型土嚢成形ホッパーを、開口させた土嚢袋内に挿入し、ホッパーの自動脱着を可能とすることで、ホッパー切り放し後、開閉バケット底部よりホッパーへの土砂投入、ホッパーの吊り上げ・設置場所への移動、ホッパーの抜き取り等、一連の作業を１台の重機を効率的に連続使用することにより、大型土嚢を短時間で大量に作成することが可能となる。また、成形ホッパーを使用することで、土嚢形状、仕上がり状態、投入土量等が標準化され、品質の向上が図られる。
また、作業員による補助作業は、土嚢袋を開口させホッパーを挿入する作業、土嚢袋取手を土嚢吊上げ用装備に掛ける作業、移動先での土嚢袋を閉じる作業等の手順になり、作業を単純化することで、作業の効率が向上する。【０００５】  自動脱着式吊フックの構造は、フックに吊り荷の負荷が掛かっていない時は、外れ止め安全ピンが開放し、吊り荷状態になると、安全ピンがスライドし自動的に閉鎖する。自動的な開閉によるフック脱着をすることで、玉掛け作業をなくし、作業タイムの短縮がはかられ作業効率がアップするとともに、作業員の補助作業を軽減することができ、重機作業範囲における、吊り荷作業時の重機との接触及びはさまれ等による労災事故が減少する。
【考案を実施するための最良の形態】
【０００６】  以下、本考案の構造形態を図１により詳述する。図１は、装置の側面図および平面図である。装置は大別して、土砂投入ホッパー１と自動開閉式吊フックｂとに分けられる。【０００７】  土砂投入ホッパー１は土嚢袋ａの開口時に収まる寸法の円筒形状であり、土砂の投入の可能なように、底版のない円筒である。また土砂の投入口となるホッパー上面は、投入時に土砂がこぼれないように、より曲率の大きな円筒としてある。ホッパー上部の曲率を用途に合わせて大きくしたため、補強アングル５により補強を行う。【０００８】  ホッパー１は、回転支軸４により接合された回転可能な取手３を、自動開閉式吊フックｂで把持することにより、重機による移動・設置が行われる。設備の設置は、ホッパー１に溶接されたフック２に、土嚢袋ａの取手を掛けることにより設置が完了する。装置の設置にかかる作業員による補助作業は、土嚢袋ａの開口作業および土嚢袋ａの取手をフック２に掛ける作業のみである。【０００９】  図２は自動開閉式吊フックｂの詳細図である。フックは外枠６を介し、重機により吊られる。フック７は上下スライドするピン１１により外枠６に対しスライド可能な構造である。フック７は部材１５を介しばね９とつながっており、外枠６を重機により引き上げると、ばね９に伸びが生じる構造である。フック開閉軸８は部材１４を介しばね１０に、ピン１３および回転軸１２を介し外枠６とつながっており、外枠６を引き上げるとばね１０に伸びが生じ、フック７を閉じる構造となる。【００１０】  自動開閉式吊フックｂは作業員の補助なく、ホッパー取手３に取付、取外しが可能であり、大型土嚢への土砂の詰め込み作業は、以下の手順により行われる。
▲１▼土砂投入ホッパーのセット（図３参照）
・・・作業員の補助作業は土嚢袋の開口およびフック２への土嚢袋取付作業
▲２▼自動開閉式吊フック取外し（図４、図５参照）
・・・作業員の補助作業はなし
▲３▼ホッパーへの土砂の投入（図６参照）
・・・作業員の補助作業はなし
▲４▼ホッパーの引抜き（図７参照）
・・・作業員の補助作業はフック２からの土嚢袋の取外し作業
【図面の簡単な説明】
【００１１】
【図１】この考案の一実施形態を示す側面図および平面図である。
【図２】自動開閉式吊フックの詳細を示す説明図である。
【図３】土砂投入用ホッパーの設置作業状況を示す説明図である。
【図４】自動開閉式吊フックのホッパーからの取外し作業状況を示す説明図である。
【図５】自動開閉式吊フックのホッパーからの取外し完了状況を示す説明図である。
【図６】土砂投入ホッパーへの土砂の投入作業状況を示す説明図である。
【図７】土嚢袋から土砂投入ホッパーを抜取る作業状況を示す説明図である。
【符号の説明】
【００１２】  １  土砂投入ホッパー
２  土嚢袋取付フック
３  ホッパー取手
４  ホッパー取手回転支軸
５  補強アングル
６  外枠
７  フック
８  フック開閉軸
９  フック側ばね
１０  フック開閉軸側ばね
１１  スライドピン
１２  回転軸
１３  接合ピン
１４  接合部材（フック開閉軸および開閉軸側ばね）
１５  接合部材（フックおよびフック側ばね）
ａ  大型土嚢
ｂ  自動開閉式吊フック
【図１】
0003129364.tif 000003
【図２】
0003129364.tif 000004
【図３】
0003129364.tif 000005
【図４】
0003129364.tif 000006
【図５】
0003129364.tif 000007
【図６】
0003129364.tif 000008
【図７】
0003129364.tif 000009
【手続補正書】
【提出日】平成18年10月20日(2006.10.20)
【手続補正１】
【補正対象書類名】実用新案登録請求の範囲
【補正対象項目名】全文
【補正方法】変更
【補正の内容】
【実用新案登録請求の範囲】
【請求項１】
大型土嚢袋の形状に合わせた、円筒型鋼製ホッパーの上部を土砂の投入を容易にするために拡幅させた、大型土嚢作成用の円筒型鋼製ホッパー。
【請求項２】
請求項１の円筒型鋼製ホッパーの取手部を、ホッパー荷重の負荷により作用する、ばね構造によって、自動的にはずれ止め安全ピンを、スライド閉鎖可能とする、自動脱着可能な外れ止め付き吊りフック。